(57)【特許請求の範囲】
【請求項１】
上部に原水流入口（５１）、及び下部にドレン口（５７）を有する濾過槽（５３）の上部において、この濾過槽（５３）の内側に適宜間隔（Ｈ）を置いて設けた筒体（５４）と、この筒体（５４）の内側に適宜間隔（Ｈ１）を置いて設けた濾過体（５５）と、この濾過体（５５）に配した清澄水流出管（７）とを設ける構成とし、
前記濾過槽（５３）と前記筒体（５４）の間に旋回空間を設けるとともに、前記清澄水流出管（７）の清澄水流出口（５２）を、前記濾過体（５５）の上方に設ける構成とした簡易型濾過装置。
【請求項２】
上記の筒体（５４）と濾過槽（５３）との間に、傾斜板として機能する拡大裾部と、狭隘通路を形成する構成とした請求項１に記載の簡易型濾過装置。
【発明の詳細な説明】
【０００１】
【発明の属する技術分野】
本発明は簡易型濾過装置に関する。
【０００２】
【従来の技術】
この種の簡易型濾過装置としては、特公昭６０−１５３７２号の濾過装置が挙げられる。この発明は、原水流入口とドレン口を有する槽本体に適宜間隔（旋回流空間部）を置いて多孔板を設け、この多孔板に間隙を置いて圧力差減少板を設け、前記多孔板の下方に流出管を設けてなる構成であって、旋回流空間部を利用して比重分離すること、又は圧力差減少板の作用で多孔板の目づまり解消を図ること、等を特徴とする。
【０００３】
【発明が解決しようとする課題】
上記文献は、多孔板で濾過された処理水は、この多孔板と圧力差減少板との僅かな間隙を通過した後、圧力差減少板の下部の流通開口を介して流出される構成であるので、濾過スピードが遅いこと、十分な処理能力を備えておらず、パワー不足が考えられる。また多孔板を通過した清澄水は、そのまま流出管を経由して流出されるので、精密な濾過には少なからず問題を残す処である。
【０００４】
【課題を解決するための手段】
請求項１の発明は、原水を効率的、かつ迅速に分離濾過すること、及び上澄水を清澄水流出管を介して濾過装置外に導くこと、等を目的とする。
【０００５】
請求項１は、上部に原水流入口（５１）、及び下部にドレン口（５７）を有する濾過槽（５３）の上部において、この濾過槽（５３）の内側に適宜間隔（Ｈ）を置いて設けた筒体（５４）と、この筒体（５４）の内側に適宜間隔（Ｈ１）を置いて設けた濾過体（５５）と、この濾過体（５５）に配した清澄水流出管（７）とを設ける構成とし、
前記濾過槽（５３）と前記筒体（５４）の間に旋回空間を設けるとともに、前記清澄水流出管（７）の清澄水流出口（５２）を、前記濾過体（５５）の上方に設ける構成とした簡易型濾過装置である。
【０００６】
請求項２の発明は、旋回空間に設けた筒体をガイドとして旋回しながら遠心力及び比重差をもって分離することを目的とする。
【０００７】
請求項２は、上記の筒体（５４）と濾過槽（５３）との間に、傾斜板として機能する拡大裾部と、狭隘通路を形成する構成とした請求項１に記載の簡易型濾過装置である。
【０００８】
【発明の実施の形態】
原水は、配管及び原水流入管より原水流入口を介して濾過槽の接線方向に導かれた後、旋回空間に至り、この旋回空間に設けた筒体をガイドとして旋回しながら遠心力及び比重差をもって分離される。この際、この筒体の拡大裾部及び狭隘通路で、当該拡大裾部に傾斜板として機能が付与されるので、より効率的な分離が図れる。この筒体で分離された処理水（一次分離処理水）は、濾過体（スクリーン、濾布、濾筒等）の孔、スリット、細目、又はこれらの組合せ等の微小間隙でさらに分離されていき、清澄水が濾過体に導入される。尚、濾過体の孔を通過できないごみ又は処理水（汚濁水）は、濾過槽の下部に導かれる。
【０００９】
前記濾過体に導かれた処理水（二次分離処理水）は、この濾過体内で沈降分離されていき、浮上した上澄水は、当該濾過体の上部で開口する清澄水流出口を流動し、配管を経由して濾過装置外の処理水槽に導かれる。尚、濾過槽の下方に導かれたごみ及び処理水は、当該下方の沈降分離室に流下していき、しかも減速板により流動が抑制されることで、より効率的に沈降（浮上）分離される。この沈降分離室の上澄水は再度濾過体に導かれることもあり得る。また濾過槽の内底面に堆積されたごみは電磁弁の開放でドレン口、ドレン管及び配管を経由して濾過装置外の処理槽に導かれる。前記上澄水・清澄水内に塵等の異物があるときは、図示しない手段で除くことが理想である。
【００１０】
【実施例】
以下、本発明の一実施例を説明する。
【００１１】
図１は原水処理のユニットを示しており、１は原水槽、２は原水用のポンプ、３は原水流入用の配管、４は配管３に設けた第１電磁弁、５は濾過装置（構造、動作は後述する）、６は濾過装置５に設けられる原水流入管、７は濾過装置５に設けられる清澄水流出管、８は清澄水用の配管、９は配管６に設けた第２電磁弁、１０は清澄水用の配管８より分岐した逆洗用の配管、１１は配管１０に設けた第５電磁弁、１２は逆洗用の水槽、１３は逆洗水搬送用の配管、１４は逆洗用のポンプ、１５は配管１３に設けた第４電磁弁、１６はドレン管、１７はドレン管１６に設けた第３電磁弁、１８はごみ収容用の分離物槽をそれぞれ示す。前記配管３等に図示しないストレーナ（濾過装置）を設けることもある（各配管は同じ）。
【００１２】
この原水処理のユニットの運転状況を説明すると、運転スイッチをＯＮする。この操作により原水ポンプがＯＮし、かつタイマーＴ１が稼働するとともに、第１・２電磁弁４、９が開くことにより、原水が配管３及び原水流入管６を通り、濾過装置５に供給される。この濾過装置５で濾過された清澄水は、清澄水流出管７及び配管８を通り、処理水槽（図示せず）に導かれる。尚、配管８を通る処理水の一部は、水槽１２に設けたセンサー１２ａの指令で第５電磁弁１１が開くことにより、配管１０を通り、水槽１２に導かれる。前記タイマーＴ１の稼働が停止すると、第１・２電磁弁４、９が閉じ、原水の濾過装置５への供給が停止されるとともに、第３電磁弁１７が開き、かつタイマーＴ２が稼働し、濾過装置５に堆積されたごみがドレン管１６を通り、分離物槽１８に到る。このタイマーＴ２の稼働が停止されると、第３電磁弁１７が閉じ、濾過装置５からのごみの排出が停止される。この停止により最初の状態に戻る。
【００１３】
尚、前記の原水ポンプのＯＮ、タイマーＴ１の稼働を介して第１・２電磁弁４、９が開く、原水が配管３を通り、濾過装置５に供給されている状態において、濾過装置５の圧力スイッチ１９が異常を検出した際（例えば、濾過体が目詰りし圧力が設定値より上がった際）には、第１・２電磁弁４、９が閉じ、逆洗用のポンプ１４がＯＮし、かつ第４電磁弁１５が開き、逆洗用の水が、濾過装置５の濾過体を洗浄（逆洗）する。この逆洗の結果、濾過装置５の圧力スイッチ２０が設定値を検出した際（例えば、濾過体の目詰りが解消された際）には、第３電磁弁１７が開くとともに、タイマーＴ３の稼働して、濾過装置５のごみがドレン管１６を通り、分離物槽１８に到る。このタイマーＴ３の稼働が停止されると、第３電磁弁１７、第４電磁弁１５が閉じるとともに、逆洗用のポンプ１４が停止される。この停止により最初の状態に戻るか、又は前記原水ポンプ２及び配管３による原水の濾過装置５への供給が繰り返される。
【００１４】
濾過装置５の構成を説明すると、接線方向に原水流入管６接続用の原水流入口５１、及び清澄水流出口５２を備えた清澄水流出管７を有する濾過槽５３と、この濾過槽５３の上部５３ａに適宜間隔Ｈ（旋回空間）を置いて設けられた筒体５４と、この筒体５４内に適宜間隔Ｈ１（原水通路）を置いて設けられた濾過体５５と、前記濾過槽５３の下部５３ｂ（沈降分離室）に設けた一枚又は数枚の邪魔板５６と、この濾過槽５３の下部５３ｂに設けたドレン管１６接続用のドレン口５７と、で構成されている。尚、筒体５４は拡大裾部５４ａを有しており、この拡大裾部５４ａは傾斜板として機能する。
【００１５】
【発明の効果】
請求項１の発明は、原水流入口・清澄水流出口とドレン口を有する濾過槽の上部の内側に適宜間隔を置いて筒体を設け、原水流入口からの原水を濾過槽と筒体の間に形成された旋回空間に導き、筒体内に設けた濾過体で濾過した後、濾過体に配した清澄水流出管の清澄水流出口に到らしめる構成である。従って、原水を効率的、かつ迅速に分離濾過できること、及び上澄水を清澄水流出管を介して濾過装置外に導くことができること、等の特徴がある。
【００１６】
請求項２の発明は、筒体と濾過槽との間に、傾斜板として機能する拡大裾部と、狭隘通路を形成する構成とした請求項１に記載の簡易型濾過装置である。従って、請求項２は、旋回空間に設けた筒体をガイドとして旋回しながら遠心力及び比重差をもって分離できる特徴がある。
【００１７】
【図面の簡単な説明】
【図１】本発明の使用の一例を示すユニットの模式図である。
【図２】図１のユニットの運転状態を示すフローチャート図である。
【図３】本発明の濾過装置の拡大正面図である。
【図４】本発明の濾過装置の拡大平面図である。
【図５】本発明の濾過装置の拡大断面図である。
【符号の説明】
１  原水槽
２  原水用のポンプ
３  配管
４  第１電磁弁
５  濾過装置
５１  原水流入口
５２  清澄水流出口
５３  濾過槽
５３ａ  上部
５３ｂ  下部
５４  筒体
５４ａ  拡大裾部
５５  濾過体
５６  邪魔板
５７  ドレン口
６  原水流入管
７  清澄水流出管
８  配管
９  第２電磁弁
１０  配管
１１  第５電磁弁
１２  水槽
１３  配管
１４  逆洗用のポンプ
１５  第４電磁弁
１６  ドレン管
１７  第３電磁弁
１８  分離物槽
１９  圧力スイッチ
２０  圧力スイッチ
Ｈ  間隔（旋回空間）
Ｈ１  間隔（原水通路）
【図１】
0004162338.tif 000002
【図２】
0004162338.tif 000003
【図３】
0004162338.tif 000004
【図４】
0004162338.tif 000005
【図５】
0004162338.tif 000006